(57)【要約】 【課題】加熱調理器が閉塞状態に置かれても、排気熱をスムーズに効果的に排気することによって電気部品の温度を低くすると共に、周囲にある壁の温度を熱くしないこと。【解決手段】加熱室の後壁面を裏板３３で覆い密封空間を設け、裏板３３に排気口４２ａ、４２ｂ、４２ｃを形成し、裏板３３に形成した前記排気口を裏板カバー４６で覆い、裏板カバー４６の上側に排気口４９を形成し、前記排気口４９を覆う排気カバー５１を設け、排気カバー５１の排出部に整流板を形成し、加熱室２２からの排気熱を一旦裏板カバー４６内に排出した後に、排気カバー５１によって前面方向に整流して排出する構成とした。【選択図】図６
2008051360.tif 000002
【特許請求の範囲】
【請求項１】
被加熱物を収容する加熱室と、前記被加熱物を加熱調理するための加熱手段と、前記加熱手段を制御する制御手段と、機械室の電気部品を冷却する送風装置と、前記加熱室の裏側の熱を遮断する裏板と、前記加熱室内の排気熱及び前記加熱室からの熱気を合流させる裏板カバーと、前記裏板カバーからの排気熱を排気出口に導く排気カバーとを備え、前記裏板を前記加熱室の後側全体を覆うようして設け、前記裏板の排気面を覆うようにして前記裏板カバーを設け、前記排気カバーを前記裏板カバーの上側にあって、排気熱を前面方向に整流して排気する構成としたことを特徴とした加熱調理器。
【請求項２】
排気カバーの上面を前後方向に傾斜するとともに、排出部に複数の整流板を形成し、前記整流板の角度を前方斜め上としたことを特徴とした請求項１に記載の加熱調理器。
【請求項３】
排気カバーの排出部に形成された複数の整流板の間隔を、後方にいく程狭くしたことを特徴とした請求項１または２に記載の加熱調理器。
【請求項４】
排気カバーの排出部から排出される排気熱が、排気カバーの略中央から多くでるようにした指向板を形成したことを特徴とした請求項１〜３のいずれか１項に記載の加熱調理器。
【請求項５】
排気カバーの排出部の上角を横長の略楕円状にしたことを特徴とした請求項１〜４のいずれか１項に記載の加熱調理器。
【請求項６】
排気カバーの上面と後面のつながり部を略Ｒ状にしたことを特徴とした請求項１〜５のいずれか１項に記載の加熱調理器。
【請求項７】
排気カバーの排出部から排出される排気熱を、上下自在に変えることができる整流板を設けたことを特徴とした請求項１〜６のいずれか１項に記載の加熱調理器。
【請求項８】
排気カバーの排出部形状を略左右対称にし、裏板に吸気口を有する場合、吸気口に近い側の排出口の一部を塞いだことを特徴とした請求項１〜７のいずれか１項に記載の加熱調理器。
【請求項９】
排気カバーを外さなくてもボディを外せる構成とした請求項１〜８のいずれか１項に記載の加熱調理器。
【請求項１０】
排気カバーに隣接する壁との隔離距離をとるための突起を形成したことを特徴とした請求項１〜９のいずれか１項に記載の加熱調理器。
【請求項１１】
排気カバーを樹脂で形成したことを特徴とした請求項１〜１０のいずれか１項に記載の加熱調理器。
【請求項１２】
裏板カバーの上面に前から見て右側は複数のパンチング穴、同左側は幅広の略角穴を設けたことを特徴とした請求項１〜１１いずれか１項に記載の加熱調理器。
【請求項１３】
裏板カバーの上面に形成した排気口の開口面積を、後方にいく程狭くしたことを特徴とした請求項１〜１１のいずれか１項に記載の加熱調理器。
【請求項１４】
裏板カバーの上面に形成した排気口の開口面積を、端にいく程狭くしたことを特徴とした請求項１〜１１のいずれか１項に記載の加熱調理器。
【請求項１５】
裏板カバーの下面に、あるいは左右面に複数の減圧口を形成したことを特徴とした請求項１〜１４のいずれか１項に記載の加熱調理器。
【請求項１６】
裏板の後面に複数のルーバー状の排気口、あるいは丸や角状の排気口を形成するとともに、ルーバー状の排気口、あるいは丸や角状の排気口の配列間隔を、裏板に吸気口を有する場合、吸気口に近づく程広くしたことを特徴とした請求項１〜１５のいずれか１項に記載の加熱調理器。
【請求項１７】
加熱室から排出される熱気を、加熱室の後壁と裏板で形成されるほぼ密封された空間に一度排出した後、裏板カバーの排気口より排気されることを特徴とした請求項１〜１６のいずれか１項に記載の加熱調理器。
【請求項１８】
加熱室の後壁と裏板の間に断熱材を入れたことを特徴とした請求項１〜１７のいずれか１項に記載の加熱調理器。
【発明の詳細な説明】
【技術分野】
【０００１】
本発明は、加熱調理器の熱気を効率良く排気するとともに、周囲の壁の温度を熱くしない排気構造に関するものである。
【背景技術】
【０００２】
従来、この種の加熱調理器としては、庫内排気口のある加熱室の壁面と外郭排気口のある壁面で排気経路を形成し、外郭の壁面に設けられた外郭排気口を、加熱室の壁面に設けられた庫内排気口とは、直に対面しない左右、あるいは上下のいずれかに分けて配置するとともに、外郭排気口を対向するように構成したものである。（例えば、特許文献１参照）。
【０００３】
図１７、図１８、図１９は、特許文献１に記載された従来の加熱調理器を示すものである。図に示すように本体１内部には加熱室２が有り、加熱室２の前面には回動自在に開閉できる扉３が設けてある。扉３の右横には操作パネル４があり、操作パネル４には温度や時間を表示する表示部５と調理を行うために設定する操作キー６が備わっている。操作パネル４の後方には機械室７が設けてあって、更に後方には電気部品を冷却するための冷却ファン８が設けてある。加熱室の後壁面９は後方に絞り出され、その左上部に小孔を配した庫内排気口１０が設けてある。加熱室の後壁面９の後方には、加熱室の後壁面９全体を覆うようにして、後方に絞り出された外郭１１がある。外郭の後壁面９には、加熱室２からの排気熱を直接的に排出する外郭排気口１２が設けてある。外郭１１の後壁面１３設けられた外郭排気口１２は、向側にある加熱室の後壁面９にある庫内排気口１０に対して、左右に分けて配置され、排気熱が対向して当たるようにルーバー状に構成してある。外郭排気口から排気される排気がお互いにぶつかりあって、排気熱の直進方向の風速は和らぐ、このことにより外郭排気口の近傍にある壁の温度を熱くしないというものである。
【特許文献１】特開２００４−２６５８１８号公報
【発明の開示】
【発明が解決しようとする課題】
【０００４】
しかしながら、前記従来の構成では、外郭の壁面に設けられた外郭排気口が対向しているため、外郭排気口から排気される排気がお互いにぶつかりあって、排気熱の直進方向の風速は和らぐものの、加熱調理器が閉塞状態に設置されると、外郭排気口の近傍にある壁が近くなることや、閉塞状態のため、閉塞空間に熱気がこもり、加熱調理器の排気熱の影響で壁の温度が熱くなるという課題を有していた。
【課題を解決するための手段】
【０００５】
前記従来の課題を解決するために、本発明の加熱調理器は、被加熱物を収容する加熱室と、前記被加熱物を加熱調理するための加熱手段と、前記加熱手段を制御する制御手段と、機械室の電気部品を冷却する送風装置と、前記加熱室の後側の熱を遮断する裏板と、前記加熱室内の排気熱及び前記加熱室からの熱気を合流させて排気口に導く裏板カバーと、前記裏板カバーからの排気を排気する排気カバーとを備え、前記裏板を前記加熱室の後側全体を覆うようして設け、前記裏板の排気面全体を覆うようにして前記裏板カバーを設け、排気カバーを前記裏板カバーの上側にあって、熱気を前面方向に整流して排気する構成としたものである。
【０００６】
これによって、加熱調理器が閉塞状態に設置されても、加熱調理器の後側から排出される排気熱を、壁に近い後方ではなく裏板カバー、排気カバーによって壁に直接吹付けない流れにして、加熱調理器の上前方に排出することができ、加熱調理器の周囲にある壁の温
度を低くできる。また加熱調理器の排気熱を、スムーズに誘導して効果的に排出することで加熱調理器本体内の部品温度を低くできる。
【発明の効果】
【０００７】
本発明は、閉塞状態に設置されても熱気をスムーズに効率良く排気すると共に、加熱調理器の周囲にある壁の温度を熱くしないことができるので、電気、ガス、石油のエネルギーを利用して加熱する加熱機器等の用途にも適用できる。
【発明を実施するための最良の形態】
【０００８】
第１の発明は、被加熱物を収容する加熱室と、前記被加熱物を加熱調理するための加熱手段と、前記加熱手段を制御する制御手段と、機械室の電気部品を冷却する送風装置と、前記加熱室の後側の熱を遮断する裏板と、前記加熱室内の排気熱及び前記加熱室からの熱気を合流させて排気口に導く裏板カバーと、前記裏板カバーからの排気を排気する排気カバーとを備え、前記裏板を前記加熱室の後側全体を覆うようして設け、前記裏板の排気面を覆うようにして前記裏板カバーを設け、排気カバーを前記裏板カバーの上側にあって、熱気を前面方向に整流して排気する構成としたことにより、加熱調理器の後側から裏板カバーを通じて排出される排気熱の流れを、排気カバー内で乱流を生じないようにして、垂直方向から前方向の流れにスムーズに加熱調理器の後側から排出される排気熱を、壁に近い後方ではなく裏板カバー、排気カバーによって壁に直接吹付けない流れにして、加熱調理器の上前方に排出することができ、加熱調理器の周囲にある壁の温度を低くできる。
【０００９】
第２の発明は、排気カバーの上面を前後方向に傾斜をするとともに、複数の整流板を形成し、前記整流板の角度を前方斜め上としたことにより、加熱調理器の後側から排出される排気熱を、後方では無く上前方向に変えて、スムーズに誘導して効果的に排出することできるとともに、排気カバーの排出部から排気される排気熱を適切に分散できることによって、集中しなようにできるため、加熱調理器の上方にある壁の温度を低くできる。また加熱調理器の排気熱を、スムーズに誘導して排出することで、加熱調理器内の部品温度を低くできる。
【００１０】
第３の発明は、排気カバーに形成された複数の整流板の間隔を、後方にいく程狭くしたことにより、排気カバーの排出部から排出される後方の排気熱の抑制でき、加熱調理器の周囲にある壁の温度を低くできる。
【００１１】
第４の発明は、排気カバーの排出部から排出される排気熱が、排気カバーの略中央から多くでるようにした指向板を形成したことにより、排気カバーの排出部から排出される排気熱が、側面方向に流れる出るのを抑えることができ、加熱調理器の両側面にある壁の温度を低くできる。
【００１２】
第５の発明は、排気カバーの排出部の上角を横長の略楕円状に形成したとにより、排気カバーと横方、上方の壁との空間距離をとることができ、加熱調理器の横方と上方にある壁の温度を低くできる。
【００１３】
第６の発明は、排気カバーの上面と後面のつながり部を略Ｒ状に形成したことにより、排気カバー内での排気熱の流れに乱流を起こさないようにでき、加熱調理器から排出される排気熱を裏板カバー出口から排気カバーの出口までスムーズに導いて排出できるため、加熱調理器本体内の部品温度を低くできる。
【００１４】
第７の発明は、排気カバーの排出部から排出される排気熱を、上下自在に変えることができる整流板を設けたことにより、前面より排出される排気熱を適切な方向に調整して排出できる。
【００１５】
第８の発明は、排気カバーの排出部形状を略左右対称に形成し、裏板に吸気口を有する場合、吸気口に近い側の排出口の一部を塞いだことにより、排気カバーの排出部と吸気口との空間距離を長くでき、吸気口に廻り込む排気熱の温度を低くできる。
【００１６】
第９の発明は、排気カバーを外さなくてもボディを外せるようにして取付けたことにより、加熱調理器を保守点検する際、排気カバーを外す手間が掛からないようにできる。
【００１７】
第１０の発明は、排気カバーに隣接する壁との隔離距離をとるための突起を形成したことにより、加熱調理の後方にある壁との隔離距離を確実に確保することができ、加熱調理器後方の壁の温度を低くできる。
【００１８】
第１１の発明は、排気カバーを樹脂で形成したことにより、複雑な排気形状にも簡単に対応でき、排気カバーの排出部から排気される排気熱を適切に分散させる形状ができる。また外観形状も加熱調理器にあわせた造形が容易にできる。
【００１９】
第１２の発明は、裏板カバーの上面に、前から見て右側は複数のパンチング穴で、同左側は幅広の略角穴を設けたことにより、加熱調理器の後側から排出される排気熱の分布を、適切に調整できることで、排気カバーの排出部からの排気熱を、適切な分布に整えることができ、加熱調理器の周囲にある壁の温度を低くできる。
【００２０】
第１３の発明は、裏板カバーの上面に、形成した排気口の開口面積を後方にいく程、狭くしたことにより、加熱調理器の後側から排出される排気熱の分布を、適切に調整でき、排気カバーの排気部からの排気を、必要な分布に整えることができる。
【００２１】
第１４の発明は、裏板カバーの上面に、形成した排気口の開口面積を、端にいく程、狭くしたことにより、加熱調理器の後側から排出される排気熱を、適切に調整でき、排気ガイドの排出部から排出される排気熱を、適切に分散させることができるから、加熱調理器の周囲にある壁の温度を低くできる。
【００２２】
第１５の発明は、裏板カバーの下面に、あるいは左右面に複数の減圧口を形成したことにより、排気カバーの排出部から排出される排気熱の吹出し力を弱めることができ、加熱調理器の周囲にある壁の温度を低くできる。
【００２３】
第１６の発明は、裏板の後面に複数のルーバー状の排気口、あるいは丸や角状の排気口を形成するとともに、ルーバー状の排気口、あるいは丸や角状の排気口の配列間隔を、裏板に吸気口を有する場合、吸気口に近づく程、広くしたことにより、加熱調理器の後側から排出される排気熱が吸気側へ廻込む量を、抑制でき、加熱調理器本体内の部品温度を低くできる。
【００２４】
第１７の発明は、加熱室から排出される熱気を、加熱室の後壁と裏板で形成されるほぼ密封された空間に一度排出した後、裏板カバーより排気されることにより、排気カバーの排出部から排出される排気熱の吹出し力を弱めることができ、加熱調理器の周囲にある壁の温度を抑えることができる。
【００２５】
第１８の発明は、加熱室の後壁と裏板の間に断熱材を入れたことにより、加熱室からの放熱を抑えることができ、ヒータ通電時間を少なくでき、加熱調理器本体内の部品温度を低くすることができると共に、加熱室からの熱が裏板に伝わりにくくなるため、裏板からの放熱を抑えることで排気熱の温度上昇を抑えることができる。
【００２６】
以下、本発明の実施の形態について、図面を参照しながら説明する。なお、この実施の形態によって本発明が限定されるものではない。
【００２７】
（実施の形態１）
図１は、本発明の第１の実施の形態における加熱調理器の外装を外した斜視図、図２は同加熱調理器を前側から見た断面図、図３は同加熱調理器を横側から見た断面図、図４は同加熱調理器の裏板カバーと排気カバーを外した状態を後側から見た外観斜視図、図５は同加熱調理器の排気カバーを外した状態を後側から見た外観斜視図、図６は同加熱調理器を後側から見た外観斜視図である。
【００２８】
図１〜図６において、加熱調理器本体２１内部には、加熱室２２が有り、加熱室２２の前面には回動自在に開閉できる扉２３があり、扉２３の右横には操作パネル２４がある。操作パネル２４の前面には、温度、時間等を表示する表示部２５と、調理を行うために設定する操作キー２６が備わっている。加熱室２２の上面には面状の上ヒータ２７が、下面には管状の下ヒータ２８が内蔵されている。加熱室２２の右側面の右側には、高周波を発生するマグネトロン２９が結合されていて、マグネトロン２９の上側にあるインバータ３０で駆動される。
【００２９】
インバータ３０の後方には冷却ファン３１が、加熱室２２の後壁面３２全体を覆うようにして取付けられた裏板３３に固定されている。マグネトロン２９の前方にはマグネトロン２９を冷却した風を加熱室２２に導くためのエアーガイド３４が設けてある。加熱室２２の右側面には、エアーガイド３４からの冷却風を導入する庫内吸気口３５があり、加熱室２２の後壁面３２は後方に絞り出され、右上部に小穴を配した庫内排気口３６が設けてある。加熱室２２の後壁面３２の後方には、加熱室２２の後壁面３２を覆い、密閉空間３７を構成するようにして取付けられた裏板３３が設けてある。
【００３０】
裏板３３の吸気側(後側から見て左側)には、パンチング穴３８で形成された外気を取入れる吸気口３９が設けてあり、裏板３３の排気側(後側から見て右側)の外側には、ルーバー４０ａ、４０ｂ、４０ｃとパンチング穴４１で形成された本体２１内の熱気を排出する排気口４２ａ、４２ｂ、４２ｃ、４３が設けてある。裏板３３の排気側(後側から見て右側)の内側には、ルーバー４４で形成された加熱室２２内の排気熱と加熱室２２の後壁面３２の熱気を排出する排気口４５が設けてある。裏板カバー４６は、裏板３３の排気口４２ｂ、４２ｃ、４３、４５を覆うようして取付けてあり、裏板カバー４６の上部には、パンチング穴４７と角穴４８で形成された排気口４９が設けてある。
【００３１】
裏板カバー４６の下部には、裏板４６内の圧力を減少させる減圧口５０が設けてある。排気カバー５１は、裏板カバー４６の排気口４９と裏板３３の排気口４２aを覆うようにして取付けられている。排気カバー５１によって、裏板カバー４６の排気口４９と裏板３３の排気口４２aから排気される排気熱の上方向の流れを、加熱調理器本体２１前方の吹出し風の流れに変えるよう垂直から曲線で繋がり斜め上に傾斜状の内壁５２をもつ略箱状になっている。
【００３２】
排気カバー５１の排出部上側は、前後方向に傾斜を持つ形状になっていて、複数の整流板５３が形成され、排気熱を適切に分散、整流して排出するようになっている。操作パネル２４の裏側には、上ヒータ２７、下ヒータ２８、冷却ファン３１等の電気部品を制御するための制御基板５４が設てある。加熱調理器本体２１の外側には部品を覆って保護する外郭５５がある。
【００３３】
次にオーブン調理を例にとって動作、作用について説明する。
【００３４】
図７は、本発明の第１の実施の形態における加熱調理器の外郭と排気カバーを外した状態を後側から見た斜視図である。
【００３５】
図１〜図７において、加熱室２２に食品を入れ、操作パネル２４の操作キー２６の加熱設定キー（図示せず）と温度設定キー（図示せず）と時間設定キー（図示せず）により、加熱方法と調理温度と時間を設定した後、操作キー２６のスタートキー（図示せず）を押して、調理を開始すると、上ヒータ２７と下ヒータ２８に通電され、制御基板５４のマイコン（図示せず）にプログラムされた加熱制御パターンで、加熱室２２を加熱して行く。一方、調理を開始すると同時にあるいは、しばらく経過してから冷却ファン３１が回転して、裏板３３の吸気口３９から冷気が吸気され、冷却ファン３１によって吹出された冷却風の一部は、マグネトロン２９の放熱部を通過して、エアーガイド３４を通り、加熱室２２の右側面の庫内吸気口３５から、加熱室２２内に送られる。
【００３６】
加熱室２２内で加熱された熱気は、加熱室２２の後壁面３２右上部に設けられた庫内排気口３６を通り、加熱室２２の後壁面３２と裏板３３の密封空間３７に一旦排出され、加熱室２２の後壁面３２の輻射熱と共に、裏板３３の排気口４５から、裏板カバー４６内に排出される。また冷却ファン３１によって吹出された冷却風の一部は、インバータ３０を通り前方に流れ、上ヒータ２７の上部を経由して、裏板３３の排気口４２ａを通り、裏板３３上側の外に排出される。
【００３７】
また冷却ファン３１によって吹出された冷却風の一部は、マグネトロン２９の側面を通り、本体２１の下側に流れ、下ヒータ２８の下部を経由して、裏板３３の下側の排気口４２ｂと、裏板３３の下側の排気口４２ｃ、４３を通り、裏板カバー４６内に排出される。また裏板３３下側と右側（後側から見て）の外に流れ、裏板カバー４６内に排出される。
【００３８】
裏板カバー４６内に排出された排気熱は、上方に流れ裏板カバー４６の上側にある排気口４９から排出し、裏板３３の排気口４２ａから排出される排気熱と共に、排気カバー５２に流れ込み、排気カバー５２の形状に沿って流れて行き、排出部上側から複数の整流板５３によって適切に分散され排出される。
【００３９】
上記構成によって、加熱調理器の後側から排出される排気熱を、壁に近い後方ではなく、裏板カバー４６と排気カバー５１によって、加熱調理器本体２１の周囲の壁に直接吹付けない流れにして、加熱調理器の上前方に排出するため、加熱調理器本体２１の周囲にある壁の温度を低くできる。また加熱調理器の排気熱を、スムーズに誘導して排出することで、加熱調理器内の部品温度を低くできる。
【００４０】
（実施の形態２）
図８は、本発明の第２の実施の形態における加熱調理器の排気カバーの要部斜視断面図である。
【００４１】
図８において、排気カバー５１の排出部に形成された整流板５３a、５３ｂ、５３ｃは、異なる隙間（大、中、小）で配置され、しかも後方に行く程狭くなっている。このことによって、排気カバー５１の排出部から排出される後方の排気熱を抑制できるため、加熱調理器の周囲にある壁の温度を低くできる。
【００４２】
（実施の形態３）
図９は、本発明の第３の実施の形態における加熱調理器の排気カバーを前側と下側から見た外観図である。
【００４３】
図６と図９において、排気カバー５１内の空間には、略中央に向かって指向を持つよう
に配置された指向板５６a、５６ｂ、５６ｃ、５６ｄがある。この指向板５６a、５６ｂ、５６ｃ、５６ｄによって、排気熱を排気カバー５１の略中央に多く流れるようにし、側面方向に流れる出るのを抑えることができ、加熱調理器本体２１の両側面にある壁の温度を低くできる。
【００４４】
（実施の形態４）
図１０は、本発明の第４の実施の形態における加熱調理器の排気カバーを前側から見た図と横側から見た断面図である。
図１０において、排気カバー５１は、外側に固定枠部５７、内側に可動整流板部５８とに分けて設けてあり、可動整流板部５８の両端には、可動できるように固定する軸部５９と、片方の端には、可動整流板部５８を可動させるための可動操作つまみ部６０があり、可動整流板部５８の軸５９は、固定枠部５７に設けてある軸受け部６１に軸支されて固定されている。操作つまみ部６０を上下操作することによって、前面より排出される排気熱を適切な上下方向に調整して排出できる。
【００４５】
（実施の形態５）
図１１は、本発明の第５の実施の形態における加熱調理器の排気カバーの要部外観斜視図である。
【００４６】
図６と図１１において、排気カバー５１内の空間には、整流板５３と指向板６２で仕切られた多数の排気口６３が設けてあり、排気カバー５１の右側からの排気熱の流出を遮る横側の仕切り壁６４ａと、排気口６３を塞ぐように形成された仕切り壁６４ｂが設けてある。この部分からの排出を無くし、排気カバー５１の排出部から加熱調理器本体２１の吸気口３９までの距離を長くすることで、排気カバー５１から排出されて吸気口３９に廻込む排気熱の温度を低くできることによって、加熱調理器本体２１内の部品温度を低くできる。
【００４７】
（実施の形態６）
図１２は、本発明の第６の実施の形態における加熱調理器を後側から見た外観図である。
【００４８】
図１２において、排気カバー５１は裏板３３側に、外郭５５のフランジ５５ａを避けて、ビス６５で締付けてある。このことによって排気カバー５１を外さなくても外郭５５を外せるようにできるため、加熱調理器本体２１を保守点検する際、排気カバー５１を外す手間が掛からないようにできる。
【００４９】
（実施の形態７）
図１３は、本発明の第７の実施の形態における加熱調理器を横から見た外観図である。
【００５０】
図１３において、排気カバー５１の後側に凸状の突起部６６が設けてある。このことによって、加熱調理器本体２１と後方にある壁の間に確実に空間が確保できるため、加熱調理器本体２１後方の壁の温度を低くできる。
【００５１】
（実施の形態８）
図１４は、本発明の第７の実施の形態における加熱調理器の裏板カバーの要部外観図である。
【００５２】
図１４において、裏板カバー４６の上側には、格子状に配置された排気口６７がある。排気口６７の開口面積は、裏板カバー４６の両端に行く程狭くなっている。また、裏板カバーの４６後方に行く程狭くなっている。このことによって、排気熱の排出分布を、適切
に調整でき、排気カバー５１の排出部からの排気熱を、適切な排出分布に整えることができるため、加熱調理器本体２１の周囲にある壁の温度を低くできる。
【００５３】
（実施の形態９）
図１５は、本発明の第８の実施の形態における加熱調理器の裏板カバーの要部図である。
【００５４】
図１５において、裏板３３に形成されたルーバー４４ａ、４４ｂ、４４ｃは、加熱調理器本体２１の吸気口３９側に行く程、ルーバーの配置間隔を徐々に広く配置したものである。このことによって、加熱調理器本体２１の後側から排出される排気熱が、吸気口３９側へ廻込む量を、抑制でき、加熱調理器本体２１内の部品温度を低くできる。
【００５５】
（実施の形態１０）
図１６は、本発明の第９の実施の形態における加熱調理器を横側から見た要部断面図である。
【００５６】
図１６において、加熱室２２の後壁面３２と裏板３３の間にある密閉空間３７に断熱材６５が設けてある。断熱材６８の上側には、加熱室２２からの排気を通す通気穴６９が設けてある。このことによって、加熱室２２からの放熱を抑えることができ、ヒータ通電時間を少なくでき、加熱調理器本体２１内の部品温度を低くすることができると共に、加熱室２２からの熱が裏板３３に伝わりにくくなるため、裏板３３からの放熱を抑えることで排気熱の温度上昇を抑えることができる。
【産業上の利用可能性】
【００５７】
以上のように、本発明の加熱調理器によれば、閉塞状態に設置されても熱気をスムーズに効率良く排気すると共に、加熱調理器の周囲にある壁の温度を熱くしないことができるので、電気、ガス、石油のエネルギーを利用して加熱する加熱機器等の用途にも適用できる。
【図面の簡単な説明】
【００５８】
【図１】本発明の実施の形態１における加熱調理器の外装を外した斜視図
【図２】同加熱調理器を前側から見た断面図
【図３】同加熱調理器を横側から見た断面図
【図４】同加熱調理器の裏板カバーと排気カバーを外した状態を後側から見た外観斜視図
【図５】同加熱調理器の排気カバーを外した状態を後側から見た外観斜視図
【図６】同加熱調理器を後側から見た外観斜視図
【図７】同加熱調理器の外郭と排気カバーを外した状態を後側から見た斜視図
【図８】本発明の実施の形態２における加熱調理器の排気カバーの要部斜視断面図
【図９】本発明の実施の形態３における加熱調理器の排気カバーを前側と下側から見た外観図
【図１０】本発明の実施の形態４における加熱調理器を前側から見た図と横側から見た断面図
【図１１】本発明の実施の形態５における加熱調理器の排気カバーの斜視図
【図１２】本発明の実施の形態６における加熱調理器を後側から見た外観斜視図
【図１３】本発明の実施の形態７における加熱調理器を横からみた外観図
【図１４】本発明の実施の形態８における加熱調理器の排気カバーを外した状態を後側から見た外観斜視図
【図１５】本発明の実施の形態９における加熱調理器の裏板カバーと排気カバーを外した状態を後側から見た斜視図
【図１６】本発明の実施の形態１０における加熱調理器を横側から見た断面図
【図１７】従来の高周波加熱装置の斜視図
【図１８】同高周波加熱装置を上側から見た断面図
【図１９】同高周波加熱装置の腰部拡大断面図
【符号の説明】
【００５９】
２１  加熱調理器本体
２２  加熱室
２７  上ヒータ（加熱手段）
２８  下ヒータ（加熱手段）
３１  冷却ファン（送風装置）
３２  加熱室の後壁面
３３  裏板
３４  エアーガイド
３５  庫内吸気口
３６  庫内排気口
３７  密閉空間
３９  吸気口
４２ａ、４２ｂ、４２ｃ  排気口
４３  排気口
４５  排気口
４６  裏板カバー
４９  排気口
５０  減圧口
５１  排気カバー
５３  整流板
【図１】
2008051360.tif 000003
【図２】
2008051360.tif 000004
【図３】
2008051360.tif 000005
【図４】
2008051360.tif 000006
【図５】
2008051360.tif 000007
【図６】
2008051360.tif 000008
【図７】
2008051360.tif 000009
【図８】
2008051360.tif 000010
【図９】
2008051360.tif 000011
【図１０】
2008051360.tif 000012
【図１１】
2008051360.tif 000013
【図１２】
2008051360.tif 000014
【図１３】
2008051360.tif 000015
【図１４】
2008051360.tif 000016
【図１５】
2008051360.tif 000017
【図１６】
2008051360.tif 000018
【図１７】
2008051360.tif 000019
【図１８】
2008051360.tif 000020
【図１９】
2008051360.tif 000021